(57)【要約】再生装置（１；１４）は、ノーマルスピード再生モード及びマルチスピード再生モードにおいてデータストリーム（ＤＳ）のデータブロック（ＤＢ）中に含まれる圧縮データ（ＫＤ）を再生するよう適合される。各データブロック（ＤＢ）中に含まれる前記圧縮データ（ＫＤ）は互いと無関係に復元可能であり、前記データストリーム（ＤＳ）中の符号化された前記データブロック（ＫＢ）のシーケンスは前記ノーマルスピード再生モードにおける復号された前記データ（ＫＤ）の再生のシーケンスに対応する。前記再生装置（１；１４）のマルチスピード再生モードにおいては、符号化されたデータ（ＫＤ）が、前記データストリーム（ＤＳ）の前記データブロック（ＤＢ）の一部のみから読み取られ、前記再生装置（１；１４）の復号手段（７）に供給され、それ故、復号手段（７）の計算能力はマルチスピード再生モードに対しても充分である。
2004515130.tif 000002
【特許請求の範囲】
【請求項１】
データストリームのデータブロック中に含まれる圧縮データの再生のための再生装置であって、前記データストリームの各データブロックは、ヘッダ情報を含み、データブロック中に含まれる前記圧縮データは、同じデータストリームの他のデータブロック中に含まれる圧縮データとは無関係に復元可能且つ再生可能であり、前記データストリーム中の前記データブロックのシーケンスは、該データブロック中に含まれる前記圧縮データの再生のシーケンスを規定し、当該装置は、
−当該再生装置が再生モードである場合に前記データストリームの各データブロックの前記ヘッダ情報を検出するよう適合されるデータブロック検出手段を持ち、
−検出されたデータブロック中に含まれる前記圧縮データを読み取る読取り手段を持ち、
−前記読取り手段により読み取られた前記圧縮データを復元し、復元されたデータを供給する復元手段を持ち、
−供給された前記復元されたデータを再生する再生手段を持ち、
−前記データストリーム中に含まれる全ての前記データブロックの前記圧縮データが前記読取り手段により読み取られ、前記復元手段に供給されるノーマルスピード再生モードを規定し、前記データストリーム中に含まれる前記データブロックの一部の圧縮データのみが前記読取り手段により読み取られ、前記復元手段に供給されるマルチスピード再生モードを規定するモード手段を持つ再生装置。
【請求項２】
前記復元手段が、受信される前記データストリームの前記データブロックから読み取られる圧縮オーディオデータを復元し、復元されたオーディオデータを供給するよう適合されることを特徴とする請求項１に記載の再生装置。
【請求項３】
前記復元手段が、ＭＰＥＧ１規格に基づいて圧縮されたオーディオデータを復元するよう適合されることを特徴とする請求項２に記載の再生装置。
【請求項４】
前記読取り手段が、ハードディスク上に記憶された前記データストリームの前記データブロックを読み取るよう適合されたハードディスク読取り手段を含むことを特徴とする請求項１に記載の再生装置。
【請求項５】
前記読取り手段が、データネットワークに接続可能であり、前記データネットワークに接続された伝送装置から前記データストリームを受信するよう適合されるインタフェース手段を含むことを特徴とする請求項１に記載の再生装置。
【発明の詳細な説明】
【０００１】
【発明の属する技術分野】
本発明は、受信データストリームのデータブロック中に含まれる圧縮データの再生のための再生装置であって、当該再生装置のマルチスピード再生モード（ｍｕｌｔｉ−ｓｐｅｅｄ ｒｅｐｒｏｄｕｃｉｎｇ ｍｏｄｅ）においては受信される前記圧縮データが部分的にのみ再生される再生装置に関する。
【０００２】
【従来の技術】
最初の段落において規定されているタイプのこのような再生装置は、欧州特許出願公開公報第ＥＰ０７７７３８３Ａ１号という文献から既知であり、データ受信装置の形態をとる。この文献の欧州特許出願公開公報第ＥＰ０７７７３８３Ａ１号は、更に、オーディオ／ビデオデータを圧縮し、符号化するよう適合されたデータ送信装置を開示している。斯くして圧縮され、符号化されたオーディオ／ビデオデータは、データ送信装置によりシリアルデータストリームのデータブロック中にペイロード（ｐａｙｌｏａｄ）として挿入され、データ受信装置へ送信される。
【０００３】
既知のデータ受信装置は、データストリームのデータブロックを検出するデータブロック検出手段、及び検出されたデータブロックから圧縮され、符号化されたオーディオ／ビデオデータを読み取るよう適合された読取り手段を持つ。復号後には、圧縮されたオーディオ／ビデオデータが、データ受信装置の復元手段（ｄｅｃｏｍｐｒｅｓｓｉｏｎ ｍｅａｎｓ）により復元され、データ受信装置の再生メモリのメモリセクション中に記憶される。データ受信装置がノーマルスピード再生モード（ｎｏｒｍａｌ−ｓｐｅｅｄ ｒｅｐｒｏｄｕｃｉｎｇ ｍｏｄｅ）である場合、再生手段は、再生メモリ中に記憶されている全てのオーディオ／ビデオデータを読み出し、このオーディオ／ビデオ情報を再生するよう適合され、この結果としてノーマル再生スピードにおけるオーディオ／ビデオ情報の再生が得られる。
【０００４】
更に、既知のデータ送信装置は、再生用データ（ｒｅｐｒｏｄｕｃｔｉｏｎ ｕｓｅ ｄａｔａ）を生成し、データブロックのペイロード中に再生用データを挿入するよう適合される再生データ用生成器（ｒｅｐｒｏｄｕｃｔｉｏｎ ｄａｔａ ｕｓｅ ｇｅｎｅｒａｔｏｒ）を含む。再生用データは、ノーマルスピード再生モード又はマルチスピード再生モード、及びオーディオ／ビデオデータが指定再生モードに基づいて読み取られんとする再生メモリのメモリセクションを識別する。
【０００５】
例えば、２倍速再生モードを識別する再生用データが受信される場合、既知のデータ受信装置は、再生メモリの全ての第２メモリセクションから記憶されたオーディオ／ビデオデータを読み取るよう適合される。このモードにおいては、オーディオ／ビデオデータが全ての第２メモリセクションから読み取られ、再生され、この結果として、２倍の再生スピードにおけるオーディオ／ビデオ情報の再生が得られる。
【０００６】
【発明が解決しようとする課題】
既知の再生装置では、マルチスピード再生モードにおいて、ペイロードの全ての受信される、圧縮され、符号化されたオーディオ／ビデオデータがまた、復号され、復元され、再生メモリ中に記憶されなければならないが、実際には、指定マルチスピード再生モードに依存して、再生メモリ中に記憶されたオーディオ／ビデオデータの一部しか再生されないであろうということが不利な点であることが分かっている。このことは、圧縮されたオーディオ／ビデオデータの復元が、非常に高い計算能力を必要とし、従って、復元手段のかなりの実時間占有（ｒｅａｌ−ｔｉｍｅ ｏｃｃｕｐａｔｉｏｎ）を伴うことからとりわけ好ましくない。
【０００７】
【課題を解決するための手段】
本発明の目的は、データブロックにおいて受信される、指定マルチスピード再生モードにおいて実際に再生されるであろう圧縮データしか復元される必要がない再生装置を提供することにある。この目的を達成するため、本発明による機能が、このような再生装置中に、該再生装置が以下に規定されるように特徴づけられ得るようにして設けられる。
【０００８】
データストリームのデータブロック中に含まれる圧縮データの再生のための再生装置であって、前記データストリームの各データブロックは、ヘッダ情報を含み、データブロック中に含まれる前記圧縮データは、同じデータストリームの他のデータブロック中に含まれる圧縮データとは無関係に復元可能且つ再生可能であり、前記データストリーム中の前記データブロックのシーケンスは、該データブロック中に含まれる前記圧縮データの再生のシーケンスを規定し、当該装置は、当該再生装置が再生モードである場合に前記データストリームの各データブロックの前記ヘッダ情報を検出するよう適合されるデータブロック検出手段を持ち、検出されたデータブロック中に含まれる前記圧縮データを読み取る読取り手段を持ち、前記読取り手段により読み取られた前記圧縮データを復元し、復元されたデータを供給する復元手段を持ち、供給された前記復元されたデータを再生する再生手段を持ち、前記データストリーム中に含まれる全ての前記データブロックの前記圧縮データが前記読取り手段により読み取られ、前記復元手段に供給されるノーマルスピード再生モードを規定し、前記データストリーム中に含まれる前記データブロックの一部の圧縮データのみが前記読取り手段により読み取られ、前記復元手段に供給されるマルチスピード再生モードを規定するモード手段を持つ。
【０００９】
このように、データブロック検出手段が、最初に、高いビットレートを持つデータストリームの各データブロックの始端又は終端のみを検出することが達成される。この検出のため、前記検出手段の実時間占有は比較的適度である。選択された又は指定されたマルチスピード再生モードに依存して、読取り手段は、検出された前記データブロックから、このマルチスピード再生モードにおいて情報として実際に再生されるべきである圧縮データのみを読み取り、復元のために復元手段に前記データを供給する。このことは、ノーマルスピード再生モードのために供給される前記復元手段の計算能力が、受信される又は再生される前記データストリームが非常に高いビットレートを持つ再生装置のマルチスピード再生モードに対しても充分であるという利点を持つ。
【００１０】
請求項２において規定されている方策は、マルチスピード再生モードにおけるオーディオ情報の再生のためのオーディオ再生装置が得られ、前記オーディオ再生装置の復元手段は小さな計算能力しか必要とせず、それ故、とりわけ安価なように製造され得るという利点を持つ。
【００１１】
請求項３において規定されている方策は、オーディオ再生装置がマルチスピード再生モードのうちの１つにおいてＭＰＥＧ１規格及びＭＰＥＧ２規格に基づいて符号化されたオーディオ情報を再生するよう適合されるという利点を持つ。
【００１２】
請求項４において規定されている方策は、再生装置がデータストリームの記憶のためにハードディスクを持ち、前記ハードディスクはとりわけ安価な書き換え型メモリ手段を形成するという利点を持つ。
【００１３】
請求項５において規定されている方策は、再生装置が、例えばインターネットに接続されても良く、斯くして、マルチスピード再生モードにおける前記インターネットに接続されたデータサーバから受信されるデータストリームのオンライン再生を供給して、受信されている該データストリームのコンテンツの概要をユーザに与えることが出来るという利点を持つ。
【００１４】
本発明の上記の特徴及び他の特徴を一例として以下に記載した実施例から明らかにし、これらの例を参照して説明する。
【００１５】
【発明の実施の形態】
図１は、ハードディスク２上に記録されたオーディオ情報を再生するよう適合され、本発明の第１実施例における再生装置を形成するハードディスクレコーダ１を示している。オーディオ情報はＭＰＥＧ１規格（オーディオ、レイヤＩ＆ＩＩ：ＩＳＯ／ＩＥＣ１１１７２ １９９２）に基づいてデータストリームＤＳとしてハードディスク２上に記録されており、このデータストリームＤＳの一部は図２に示されている。データストリームＤＳは、各々がヘッダ情報ＨＩ及び圧縮オーディオデータＫＤを含むデータブロックＤＢにより形成される。ヘッダ情報ＨＩは、所与のシーケンスのビットにより形成され、各データブロックＤＢの始端を示す。
【００１６】
データストリームＤＳのデータブロックＤＢ中に含まれる圧縮オーディオデータＫＤは、同じデータストリームＤＳの他のデータブロックＤＢとは無関係に復元され得る。データブロックＤＢ１１の圧縮オーディオデータＫＤ１１は、切り離されたブロック（ｉｓｏｌａｔｅｄ ｂｌｏｃｋ）として復元され、２５ミリ秒の長さを持つオーディオ情報として再生され得る。このようにして、例えば８個の隣接データブロックの圧縮オーディオ情報ＫＤが、音楽の曲の断片（ｆｒａｇｍｅｎｔ）として連続して復号され、再生され得る。前記音楽の断片は２秒の長さを持つ。
【００１７】
データストリームＤＳの他の特徴は、データストリームＤＳ中のデータブロックＤＢのシーケンスがデータブロックＤＢ中に含まれる圧縮オーディオデータＫＤの再生の正しいシーケンスを示すことにある。斯くして、データブロックＤＢ１１の音楽の断片のオーディオ情報の再生に続いて、データストリームＤＳのデータブロックＤＢ１２、ＤＢ１３、ＤＢ１４及び後続のデータブロックＤＢの音楽の断片のオーディオ情報の再生をする。
【００１８】
ハードディスクレコーダ１は、読取り手段３、データブロック検出手段４、キーパッド５、モード手段６、復元手段７及び再生手段８を含む。キーパッド５のキーＴ１を作動させることにより、ハードディスクレコーダ１のユーザは、ノーマル再生スピードにおいてデータストリームＤＳ中に記憶された音楽の曲を再生するためにハードディスクレコーダ１のノーマルスピード再生モードを作動させることが出来る。キーＴ１の作動の結果として、ノーマルスピード再生モードを識別するキーパッド情報ＴＩがモード手段６に供給され、ハードディスク２がスピードｎで駆動される。
【００１９】
読取り手段３はハードディスク読取り手段９及びデータブロック読取り手段１０を含む。ハードディスク読取り手段９は、ハードディスク２から記憶されているデータストリームＤＳを含むアナログ信号ＡＳを読み取る磁気ヘッドを含み、前記磁気ヘッドはスピードｎで駆動される。ハードディスク読取り手段９によりアナログ信号ＡＳから引き出されるデータストリームＤＳは、ハードディスクレコーダ１のノーマルスピード再生モードにおいて略々２００ｋｂｉｔ／秒のビットレートを持ち、データブロック検出手段４及びデータブロック読取り手段１０に加えられ得る。
【００２０】
データブロック検出手段４は、データストリームＤＳ中のヘッダ情報ＨＩのビットシーケンスを検出し、データブロックＤＢのヘッダ情報ＨＩがデータストリームＤＳ中で検出される場合には検出情報ＤＩをデータブロック読取り手段１０に供給するよう適合される。
【００２１】
ノーマルスピード再生モードを識別するキーパッド情報ＴＩが受信される場合、モード手段６は、第１読み取り情報ＡＩ１をデータブロック読取り手段１０に供給し、第１読み取り情報ＡＩ１は圧縮オーディオデータＫＤを読み取るためにデータストリームＤＳ中の全てのデータブロックＤＢを選択する。第１読取り情報ＡＩ１が受信される場合、データブロック読取り手段１０は、第１選択情報ＡＩ１によって選択されたデータブロックＤＢから圧縮オーディオデータＫＤを読み取るよう適合され、前記圧縮オーディオデータＫＤは検出情報ＤＩを評価することによりもたらされる。データブロック読取り手段１０は、このようにして読み取られた圧縮オーディオデータＫＤを復元手段７に供給する。
【００２２】
復元手段７は、ＭＰＥＧ１規格に基づいて圧縮されているオーディオデータＫＤを復元し、復元されたオーディオデータＡＤを供給するよう適合される。復元されたオーディオデータＡＤは略々２Ｍｂｉｔ／秒のビットレートを持つ。
【００２３】
再生手段８は、デジタル／アナログ変換器１１、オーディオ・アンプ１２及びスピーカ１３を含む。復元手段７により供給されるオーディオデータＡＤは、デジタル／アナログ変換器１１によってアナログオーディオ信号ＡＵＳに変換され、前記信号は、オーディオ・アンプ１２により増幅され、音楽の曲の音響再生（ａｃｏｕｓｔｉｃ ｒｅｐｒｏｄｕｃｔｉｏｎ）のためにスピーカ１３に加えられる。このようにして、キーＴ１を作動させることにより、ハードディスクレコーダ１のユーザはハードディスクレコーダのノーマルスピード再生モードを作動させることができ、この作動により、ハードディスク２によってデータストリームＤＳ中に記憶されている音楽の曲が再生時間Ｔの間ノーマル再生スピードで音響的に再生され得る。
【００２４】
キーパッド５のキーＴ２によって、ハードディスクレコーダ１のユーザにノーマル再生時間Ｔの半分で音楽の曲全体の概要を与えるために、記憶されているデータストリームＤＳ中に含まれる音楽の曲の音楽の断片の半分のみが再生されるハードディスクレコーダ１の２倍速再生モードを作動させることが可能である。このマルチスピード再生モードにおける音楽の断片の連結（ｃｏｎｃａｔｅｎａｔｉｏｎ）は、オーディオデータが非圧縮の形態で既知のオーディオＣＤ上に記憶されている市販のＣＤプレイヤの走査再生モードから既知であるように音を出す。
【００２５】
キーパッド５のキーＴ２の作動後には、２倍速再生モードを識別するキーパッド情報ＴＩがハードディスクレコーダ１において２倍速再生モードを作動させるためにモード手段６に供給される。ハードディスクレコーダ１が２倍速再生モードである場合、ハードディスク２は２倍のスピード２＊ｎにおいて駆動され、ハードディスク読取り手段９は２倍の略々４００ｋｂｉｔ／秒のビットレートにおいてデータストリームＤＳを読み取る。
【００２６】
更に、ハードディスクレコーダ１の２倍速再生モードにおいては、モード手段６が第２読取り情報ＡＩ２をデータブロック読取り手段１０に供給し、前記情報は圧縮オーディオデータＫＤを読み取るためにデータストリームＤＳの全ての第２データブロックＤＢを選択する。第２読取り情報ＡＩ２が受信される場合、データブロック読取り手段１０は、ここで、データストリームＤＳの全ての第２データブロックのみから圧縮オーディオデータＫＤを読み取り、該データを復元手段７に供給するよう適合される。
【００２７】
このようにして、例えば、圧縮オーディオデータＫＤ１０、ＫＤ１２、ＫＤ１４及び偶数のデータブロック番号を持つ他のデータブロックＤＢの圧縮オーディオデータＫＤのみがデータストリームＤＳから読み取られ、復元手段７に供給されるということが達成される。従って、ハードディスク読取り手段９により読み取られるデータストリームＤＳは２倍のビットレートを持つが、復元手段７は、ノーマルスピード再生モードの場合と同じビットレートを持つ圧縮オーディオデータＫＤを受信する。
【００２８】
このことは、ハードディスクレコーダ１での２倍速再生モードが、読み取られる圧縮オーディオデータＡＤの処理のための手段（復元手段７及びアナログ／デジタル変換器１１）のいずれも変更する必要なしに実現され得るという利点を持つ。単に、データブロック検出手段４が、２倍の略々４００ｋｂｉｔ／秒のビットレートを持つデータストリームＤＳ中のヘッダ情報ＨＩを検出するよう適合されるにすぎず、実際には、これは問題ではない。しかしながら、２倍の再生スピードにおける音楽の曲全体の再生に対しては必要であろうように復元手段７の計算能力が２倍にされる必要はないということはとりわけ有利である。
【００２９】
キーパッド５の第３のキーＴ３を作動させることにより３倍速再生モードを作動させることが可能である。ハードディスクレコーダ１が３倍速再生モードである場合、ハードディスク２は３倍のスピード３＊ｎにおいて駆動され、データストリームＤＳは３倍の略々９００ｋｂｉｔ／秒のデータレートにおいて読み取られる。この場合には、第３選択情報ＡＩ３がデータブロック読取り手段１０に供給され、データブロック読取り手段１０はそれに応じて全ての第３データブロックＤＢ（例えばＤＢ１０、ＤＢ１３、…）から圧縮オーディオデータＫＤを読み取り、該圧縮オーディオデータＫＤを復元手段７に供給する。
【００３０】
このようにして、音楽の曲のノーマル再生時間Ｔの最初の６秒のうちの２秒のみの音楽の断片がノーマル再生スピードにおいて再生されることが達成される。この最初の音楽の断片の直後には、前記音楽の曲全体の再生時間Ｔの次の６秒のうちの２秒の再生時間を持つ次の音楽の断片が再生される。有利なことには、この３倍速再生モードもまた、変更なしの復元手段７及び変更なしのデジタル／アナログ変換器１１で実現される。
【００３１】
ハードディスクレコーダ１の２倍速再生モードにおいては、データブロック読取り手段１０は、次いで同数の隣接データブロックＤＢ中の圧縮オーディオデータＫＤの再生が省かれる場合には、２つ以上の隣接データブロックＤＢの圧縮オーディオデータＫＤを復元手段７に供給することも出来ることに注意されたい。このようにして、例えば、データブロックＤＢ１０、ＤＢ１１、ＤＢ１４、ＤＢ１５、ＤＢ１８、ＤＢ１９、…の圧縮オーディオデータＫＤが復元手段７に供給され得る。このことは、任意に長い音楽の断片が実現され得るという利点を持つ。
【００３２】
他の例においては、符号化されるオーディオデータＫＤが、ＭＰＥＧ１規格（オーディオ、レイヤＩ＆ＩＩ：ＩＳＯ／ＩＥＣ１１１７２ １９９２）又はＭＰＥＧ２規格（オーディオ、ＩＳＯ／ＩＥＣ１３８１８−３、第２版 １９９８）に基づいて符号化され得ることに注意されたい。関連したデータストリームＤＳが前記の要求を満たす（各データブロックＤＢの符号化されたオーディオデータＫＤが別個に復号可能であり、データストリームＤＳ中の符号化されたオーディオデータＫＤのシーケンスが正しいシーケンスでの再生の間の復号されたオーディオデータのシーケンスに対応する）場合には、他の同様のオーディオを符号化する方法もまた用いられ得る。
【００３３】
データストリームＤＳ中に含まれる符号化ビデオデータもまた、同様のハードディスクレコーダの読取り手段により読み取られ、再生手段によりマルチスピード再生モードにおいて再生され得る。その場合、ビデオデータを含むデータストリームもまた前記の要求の満たすであろう。
【００３４】
本発明による再生装置はまた、読出し専用メモリ、光学的に読出し可能なメモリ（例えばＤＶＤ）又は当業者にとって既知のなんらかの他の記憶媒体から前記要求を満たすデータストリームを再生するよう適合され得る。
【００３５】
図３は、本発明の第２実施例によるインターネット再生装置を示している。インターネット再生装置１４の読取り手段１５は、ハードディスクレコーダ１の読取り手段３に対応するが、ハードディスク読取り手段９の代わりにインタフェース手段１６を含む。インタフェース手段１６は、インターネットＮＥＴに接続され、ＴＣＰ／ＩＰプロトコルに基づいてインターネットＮＥＴに接続されるオーディオサーバ１７上に記憶された圧縮オーディオデータＫＤを検索するよう適合される。
【００３６】
キーパッド１８のダウンロード・キーＴＤを作動させることにより、インターネット再生装置１４のユーザは、ＭＰＥＧ１規格に基づいて圧縮されたオーディオデータＫＤを検索し、インターネット再生装置１４のメモリ手段１９の中に前記データを記憶することが出来る。インターネットＮＥＴの伝送容量の有効使用のため、その場合、圧縮オーディオデータＫＤは、ノーマルスピード再生モードの４倍である略々８００ｋｂｉｔ／秒のビットレートにおいてオーディオサーバ１７により供給され、インターネットＮＥＴを介して送信され、メモリ手段１９の中に記憶される。
【００３７】
圧縮オーディオデータＫＤがダウンロードされている間に既に音楽の曲の第１印象を得るため、インターネット再生装置１４のユーザは、４倍速再生モードに対応するモニタ再生モード（ｍｏｎｉｔｏｒ ｒｅｐｒｏｄｕｃｉｎｇ ｍｏｄｅ）を作動させるべくモニタ・キーＴＭを作動させることが出来る。既に第１実施例に対して記載されているように、その場合、全ての第４データブロックＤＢの圧縮オーディオデータＫＤのみが復号手段７に供給される。
【００３８】
このことは、音楽の曲の圧縮オーディオデータＫＤのダウンロード中に既に音楽の曲の第１印象を得るため、インターネット再生装置によって、実質的により高速なハードウェアのための如何なる付加的なコストもなしにモニタ機能が実現されるという利点を持つ。
【００３９】
他の例のおいては、インターネット再生装置１４が、後続のマルチスピード再生モードのために、データストリームＤＳの、読取り情報ＡＩによって指定され、データブロック読取り手段１０により読み出されるデータブロックＤＢのみをメモリ手段１９の中に記憶するよう適合され得る。このインターネット再生装置１４は、記憶されるべきデータの量及びデータレートのかなりの低減を供給するという利点を持つ。
【００４０】
本発明による再生装置は、マルチスピード再生モードにおいて圧縮データ（例えばテキストデータ、画像データ、…）としてデータストリームＤＳにおいて受信される多種多様な情報を再生するよう適合され得ることに注意されたい。前記データストリームＤＳ中のテキスト情報又は画像情報は、このマルチスピード再生モードにおいては部分的にのみ再生される。しかしながら、これは、データストリームＤＳが前記の要求を満たす（各データブロックＤＢの符号化されたオーディオデータＫＤが別個に復号可能であり、データストリームＤＳ中の符号化されたオーディオデータＫＤのシーケンスが正しいシーケンスでの再生の間の復号されたオーディオデータのシーケンスに対応する）場合にのみ可能である。
【００４１】
同様に、再生装置のインタフェース手段は、マルチスピード再生モードにおいて受信データストリーム中に含まれる圧縮データを再生するため公衆電話網又は別のデータネットワークに接続され得ることに注意されたい。
【００４２】
２０倍速再生モード又は１００倍速再生モードもまた、読取り手段がこのビットレートを取り扱うよう適合される場合には可能であることに注意されたい。
【００４３】
同様に、本発明による再生装置は、コンピュータ、移動電話又は他の同様な装置により形成され得ることに注意されたい。
【００４４】
ハードディスクから読み取られるデータストリームＤＳのビットレートはハードディスクが駆動されるスピードｎと無関係であり得ることに注意されたい。この場合には、一般的に知られているように、データストリームＤＳは高いビットレートにおいてブロック単位で読み取ることが出来る。
【図面の簡単な説明】
【図１】マルチスピード再生モードにおいてはデータストリームのデータブロック中に含まれる圧縮オーディオデータの一部を再生するよう適合される再生装置を形成するハードディスクレコーダを示す。
【図２】ハードディスクレコーダにより再生されるデータストリームであって、圧縮オーディオデータを含むデータブロックにより形成されるデータストリームの一部を示す。
【図３】インターネットに接続されたオーディオサーバからデータストリームを受信するインタフェース手段を含むインターネット再生装置を示す。
【国際公開パンフレット】
2004515130.tif 000003
2004515130.tif 000004
2004515130.tif 000005
2004515130.tif 000006
2004515130.tif 000007
2004515130.tif 000008
2004515130.tif 000009
2004515130.tif 000010
2004515130.tif 000011
2004515130.tif 000012
2004515130.tif 000013
2004515130.tif 000014
2004515130.tif 000015
【国際公開パンフレット（コレクトバージョン）】
2004515130.tif 000016
【国際調査報告】
2004515130.tif 000017
2004515130.tif 000018